【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
ａ）式
【化１】
2008512533.tif 000001
（式中、Ｒaはアシル基を表し；
Ｒb及びＲcのうち１つは、水素原子を表し、及びもう１つは置換基を表し；又は
Ｒb及びＲcは、両方とも水素原子又は同一もしくは異なる置換基を表し；又は
Ｒb及びＲcは、一緒になって酸素原子を表し；
Ｒ1ないしＲ4の各々は、炭素原子数１ないし６のアルキル基を表し；及び
Ｒ5及びＲ6の各々は、互いに独立して、水素原子、炭素原子数１ないし６のアルキル基又は炭素原子数６ないし１０のアリール基を表すか：又は
Ｒ5及びＲ6は、一緒になって酸素原子を表す。）で表される少なくとも１種のヒドロキシルアミンエステル；及び
ｂ）式
Ｒ1−Ｓ−Ａ  （ＩＩ）
［式中、Ｒ1は有機置換基を表し、及びＡは水素原子又は基
【化２】
2008512533.tif 000002
（式中、Ｂ+は、カチオン又はカチオン性基を表す。）を表す。］
で表される少なくとも１種の硫黄化合物；及び
ｃ）ポリプロピレン、プロピレンコポリマー又はポリプロピレンブレンド
を含むポリマー組成物。
【請求項２】
前記成分ａ）のヒドロキシルアミンエステル（Ｉ）が、式
【化３】
2008512533.tif 000003
（式中、
ｎは１又は２を表し、
Ｒ’1、Ｒ’2及びＲ’3の各々は水素原子を表し、
Ｒaは炭素原子数２ないし１８のアルカノイル基又は炭素原子数３ないし６
のアルケノイル基を表し、及び
Ｇは脂肪族モノカルボン酸の炭素原子数１２ないし１８のアシル基又は脂肪族ジカルボン酸の炭素原子数４ないし１２のアシル基を表す。）
で表される立体障害性アミン誘導体からなる群から選ばれる、請求項１に記載のポリマー組成物。  
【請求項３】
前記成分ａ）のヒドロキシルアミンエステル（Ｉ）は、式
【化４】
2008512533.tif 000004
［式中、ｎは１又は２を表し、Ｒa、Ｒ’1、Ｒ’2及びＲ’3は式ＩＡの下で定義された通りであり；Ｇ1は水素原子、炭素原子１ないし１２のアルキル基、炭素原子数２ないし５
のヒドロキシアルキル基、炭素原子数５ないし７のシクロアルキル基、炭素原子数７又は８アラルキル基、炭素原子数２ないし１８のアルカノイル基、炭素原子数３ないし５のアルケノイル基又はベンゾイル基又は基
【化５】
2008512533.tif 000005
（式中、Ｒa、Ｒ’1、Ｒ’2及びＲ’3は上記で定義された通りであり、及びＧ2は下記の
意味を有する
ｎ＝１の場合、
Ｇ2は、水素原子、炭素原子数１ないし１８のアルキル基、炭素原子数３ないし８のアル
ケニル基、炭素原子数５ないし７のシクロアルキル基、炭素原子数１ないし４のアルキル基、ヒドロキシ基、シアノ基、アルコキシカルボニル基又はカルバミド基によって置換された炭素原子数１ないし４のアルキル基、グリシジル基又は基−ＣＨ2−ＣＨ（ＯＨ）−
ＺもしくはＣＯＮＨ−Ｚを表し、ここでＺは、水素原子、メチル基又はフェニル基を表し；又は
ｎ＝２の場合、
Ｇ2は、水素原子、炭素原子数２ないし１２のアルキレン基、炭素原子数６ないし１２の
アリーレン基、キシリレン基又は−ＣＨ2ＣＨ（ＯＨ）−ＣＨ2−もしくは−ＣＨ2−ＣＨ
（ＯＨ）−ＣＨ2−Ｏ−Ｄ−Ｏ−基を表し、ここでＤは炭素原子数２ないし１０のアルキ
レン基、炭素原子数６ないし１５のアリーレン基又は炭素原子数６ないし１２のシクロアルキレン基を表し；又はＧ1がアルカノイル基、アルケノイル基又はベンゾイル基以外を
表すという条件で、Ｇ2は付加的に１−オキソ−炭素原子数２ないし１２のアルキレン基
、脂肪族、脂環式もしくは芳香族ジカルボン酸又はジカルバミン酸の二価基又は−ＣＯ−基を表し；又は
ｎ＝１の場合、
Ｇ1及びＧ2は、一緒になって脂肪族、脂環式もしくは芳香族１，２−ジカルボン酸又は１，３−ジカルボン酸の二価基を表す。）を表す。］
で表される立体障害性アミン誘導体からなる群から選ばれる、請求項１に記載のポリマー組成物。
【請求項４】
前記成分ａ）のヒドロキシルアミンエステル（Ｉ）は、式
【化６】
2008512533.tif 000006
（式中、ｎは、１又は２を表し、及びＲa、Ｒ’1、Ｒ’2及びＲ’3は式ＩＡの下で定義された通りであり；及び、ｎ＝１の場合、Ｇ3は炭素原子数２ないし１０のアルキレン基、
炭素原子数２ないし８のヒドロキシアルキレン基又は炭素原子数４ないし３２のアシルオキシ−炭素原子数２ないし１０のアルキレン基、炭素原子数４ないし３２のアシルオキシ−炭素原子数１ないし４のアルキル−炭素原子数２ないし１０のアルキレン基を表し、又は、ｎ＝２の場合、基（−ＣＨ2）2Ｃ（ＣＨ2−）2を表す。）
で表される立体障害性アミン誘導体からなる群から選ばれる、請求項１に記載のポリマー組成物。
【請求項５】
前記成分ａ）のヒドロキシルアミンエステル（Ｉ）は、式
【化７】
2008512533.tif 000007
（式中、Ｒa、Ｒ’1、Ｒ’2及びＲ’3は式ＩＡの下で定義された通りであり、及びＡＬＫは炭素原子数２ないし１０のアルキレン基又はヒドロキシ基、炭素原子数４ないし３２のアシルオキシ基及び炭素原子数４ないし３２のアシルオキシ−炭素原子数１ないし４のアルキル基からなる群から選ばれた少なくとも１つの置換基によって置換された炭素原子数３ないし１０のアルキレン基を表す。）
で表される立体障害性アミン誘導体からなる群から選ばれる、請求項１に記載のポリマー組成物。
【請求項６】
前記成分ａ）のヒドロキシルアミンエステル（Ｉ）は、式
【化８】
2008512533.tif 000008
（式中、Ｒ’1及びＲ’2は、互いに独立して、水素原子又はメチル基を表し；
Ｒaは、炭素原子数１ないし８のアルカノイル基を表し；及び
Ｒa’は、炭素原子数８ないし２２のアルカノイル基を表す。）
で表される立体障害性アミン誘導体からなる群から選ばれる、請求項５に記載のポリマー組成物。
【請求項７】
前記成分ａ）のヒドロキシルアミンエステル（Ｉ）は、式
【化９】
2008512533.tif 000009
で表される立体障害性アミン誘導体からなる群から選ばれる、請求項６に記載のポリマー組成物。
【請求項８】
前記成分ａ）のヒドロキシルアミンエステル（Ｉ）は、式
【化１０】
2008512533.tif 000010
［式中、ｎは１又は２を表し、及び
Ｇ6は、基
【化１１】
2008512533.tif 000011
（ここで、Ｒa、Ｒ’1、Ｒ’2及びＲ’3は、式ＩＡの下で定義された通りであり；
Ｅは、−Ｏ−又は−ＮＧ1−を表し；
Ａは、炭素原子数２ないし６のアルキレン基又は−（ＣＨ2）3−Ｏ−を表し；
ｘは、０又は１を表し；
Ｇ1は、水素原子、炭素原子数１ないし１２のアルキル基、炭素原子数２ないし５のヒド
ロキシアルキル基又は炭素原子数５ないし７のシクロアルキル基を表す。）を表し；
Ｇ7は、Ｇ6と同一であるか、又は基−ＮＧ9Ｇ10、−ＯＧ11、−ＮＨＣＨ2ＯＧ11又は−Ｎ（ＣＨ2ＯＧ11）2のうちの１つを表し；
ｎ＝１の場合、Ｇ8は、Ｇ6又はＧ7と同一であり；及び
ｎ＝２の場合、Ｇ8は、基−Ｅ−Ｂ−Ｅを表し、ここでＢは炭素原子数２ないし８のアル
キレン基又は１個又は２個の−ＮＧ9−基によって中断された炭素原子数２ないし８のア
ルキレン基を表し、及びＧ9は、炭素原子数１ないし１２のアルキル基、シクロヘキシル
基、ベンジル基又は炭素原子数１ないし４のヒドロキシアルキル基又は基
【化１２】
2008512533.tif 000012
を表し；
Ｇ10は、炭素原子数１ないし１２のアルキル基、シクロヘキシル基、ベンジル基又は炭素原子数１ないし４のヒドロキシアルキル基を表し；及びＧ11は水素原子、炭素原子数１ないし１２のアルキル基又はフェニル基を表し；及び
Ｇ9及びＧ10は、一緒になって炭素原子数４又は５のアルキレン基又は炭素原子数４又は
５のオキサアルキレン基を表す。］で表される化合物から選ばれる、請求項１に記載のポリマー組成物。
【請求項９】
前記成分ａ）のヒドロキシルアミンエステル（Ｉ）は、式
【化１３】
2008512533.tif 000013
（式中、ｎは２より大きい整数を表し、及びＲ’1、Ｒ’2及びＲ’3は、式ＩＡの下で定
義される通りであり；及びＢは二価の置換基を表す。）で表される化合物から選ばれる、請求項１に記載のポリマー組成物。
【請求項１０】
前記成分ｂ）の硫黄化合物（ＩＩ）が、式
Ｒ1−Ｓ−Ｈ（ＩＩ’）
で表されるメルカプタン及び式
【化１４】
2008512533.tif 000014
で表されるＳ−アルキルチオスルフェートからなる群から選ばれ、上記式中、Ｒ1は、炭
素原子数８ないし１８のアルキル基を表し、及びＢ+はカチオン又はカチオン性基を表す
、請求項１に記載のポリマー組成物。
【請求項１１】
ａ）式
【化１５】
2008512533.tif 000015
で表される少なくとも１種のヒドロキシルアミンエステル、
ｂ）式
Ｒ1−Ｓ−Ｈ  （ＩＩ’）
（式中、Ｒ1は炭素原子数８ないし１８のアルキル基を表す。）で表される少なくとも１
種のメルカプタン、
ｃ）ポリプロピレン、プロピレンコポリマー又はポリプロピレンブレンド
を含む、請求項１に記載のポリマー組成物。
【請求項１２】
ａ）式
【化１６】
2008512533.tif 000016
で表される少なくとも１種のヒドロキシルアミンエステル、
ｂ）式
【化１７】
2008512533.tif 000017
（式中、Ｒ1は、炭素原子数８ないし１８のアルキル基を表し、及びＢ+はカチオン又はカチオン性基を表す。）で表される少なくとも１種のＳ−アルキルチオスルフェート、
ｃ）ポリプロピレン、プロピレンコポリマー又はポリプロピレンブレンド
を含む、請求項１に記載のポリマー組成物。
【請求項１３】
ａ）式
【化１８】
2008512533.tif 000018
（式中、Ｒaはアシル基を表し；
Ｒb及びＲcのうち１つは、水素原子を表し、及びもう１つは置換基を表し；又は
Ｒb及びＲcの各々は、同一又は異なる置換基を表し；又は
Ｒb及びＲcは、一緒になって酸素原子を表し；
Ｒ1ないしＲ4の各々は、炭素原子数１ないし６のアルキル基を表し；及び
Ｒ5及びＲ6の各々は、互いに独立して、水素原子、炭素原子数１ないし６のアルキル基又は炭素原子数６ないし１０のアリール基を表すか：又は
Ｒ5及びＲ6は、一緒になって酸素原子を表す。）で表される少なくとも１種のヒドロキシルアミンエステル又はヒドロキシルアミンエステルのポリマー；及び
ｂ）式
Ｒ1−Ｓ−Ａ  （ＩＩ）
［式中、Ｒ1は有機置換基を表し、及びＡは水素原子又は基
【化１９】
2008512533.tif 000019
（式中、Ｂ+は、カチオン又はカチオン性基を表す。）を表す。］
で表される少なくとも１種の硫黄化合物を含む組成物が、分解されるポリプロピレン、プロピレンコポリマー又はポリプロピレンブレンドに加えられ、そして混合物が加熱されることを特徴とする、ポリプロピレン、プロピレンコポリマー又はポリプロピレンブレンドの分子量を低減するための方法。